(57)【特許請求の範囲】
【請求項１】
シート状の基材上に、ダニを捕獲する粘着剤層を形成し、当該粘着剤層との間に隙間を設けて、少なくとも前記粘着剤層上に、カバーを備えたダニ捕獲検知シートであって、
前記基材上に、角形成部材によって、角を形成するとともに、前記角形成部材によって形成された当該角の領域に、前記粘着剤層を形成したことを特徴とするダニ捕獲検知シート。
【請求項２】
前記角形成部材によって形成された前記角の領域に、ダニを誘引するダニ誘引物質を配置したことを特徴とする請求項１に記載のダニ捕獲検知シート。
【請求項３】
前記基材の表面若しくは前記粘着剤層が着色されていることを特徴とする請求項１又は２に記載のダニ捕獲検知シート。
【請求項４】
前記粘着剤層が形成された領域と重ならないように、前記カバーに多数の孔を開口したことを特徴とする請求項１、２又は３に記載のダニ捕獲検知シート。
【請求項５】
前記カバーは無色透明であることを特徴とする請求項１、２、３又は４に記載のダニ捕獲検知シート。
【発明の詳細な説明】
【０００１】
【発明の属する技術分野】
本発明はダニ捕獲検知シートに関する。具体的には、室内等に生息するダニの存否を検知するためのダニ捕獲検知シートに関する。
【０００２】
【従来の技術】
ダニは、いわゆる衛生害虫としてよく知られており、伝染病を媒介するのみならず、吸血や刺咬、寄生などにより強烈なかゆみや不快感などを与え、人に対して肉体的あるいは精神的な苦痛を与える。また、近年では、ダニの糞や死骸等が小児喘息などを引き起こすアレルギー源になるとも言われ、非常に注目されている。
【０００３】
一方、近年の技術進歩に伴い、住宅環境の向上、特に室内の気密性が良くなり、快適な環境が提供されるようになった。また、室内では、カーペット等が敷設されることが多く、この結果、ダニが生息するのに都合のよい環境が作りだされ、ダニの増殖を増長させているのが現状であり、ダニに対する対策が大きな問題となっている。
【０００４】
このような問題を引き起こすダニは、単に小さいだけでなく、畳やカーペットの織り目等、ほこりが溜まりやすい小さな隙間を好んで生息し、肉眼で簡単にダニの存在を見付けることが困難である。また、肉眼や拡大鏡を用いて、長時間注意深く観察し、ダニの動きを観察することも非常に煩わしい。
【０００５】
そこで、これらの問題点を解決するために、様々な方法が開発されている。例えば、ダニの体液と反応して発色する発色成分を含浸させた粘着シートにダニを捕獲し、捕獲したダニを押し潰すことによってダニの体液を押し出し、押し出されて粘着面に広がったダニの体液と発色成分とを反応させる方法や、掃除機で吸い取ったゴミを、ダニの体液と反応して発色する発色成分を溶解させた溶液中に入れて、ダニの体液と発色成分とを反応させる方法などがある。
【０００６】
しかしながら、これらの発色成分は、人のフケや脱落した表皮あるいは食事の食べカスなどとでも反応して、発色し、ダニがいない状態でもダニを検知してしまうという問題点があった。
【０００７】
本発明は叙上の従来例の欠点に鑑みてなされたものであり、その目的とするところは、ダニを効果的に捕獲し、ダニの存否を確実かつ簡単に検出することにある。
【０００８】
【課題を解決するための手段】
本発明のダニ捕獲検知シートは、シート状の基材上に、ダニを捕獲する粘着剤層を形成し、当該粘着剤層との間に隙間を設けて、少なくとも前記粘着剤層上に、カバーを備えたダニ捕獲検知シートであって、前記基材上に、角形成部材によって、角を形成するとともに、前記角形成部材によって形成された当該角の領域に、前記粘着剤層を形成したことを特徴としている。
【０００９】
このとき、前記角形成部材によって形成された前記角の領域に、ダニを誘引するダニ誘引物質を配置するのが好ましい。
【００１０】
また、前記基材の表面若しくは前記粘着剤層に着色を施すのが好ましく、前記カバーには、前記粘着剤層が形成された領域と重ならないように、多数の孔を開口しておくのがよい。
【００１１】
さらに、前記カバーを無色透明にしておくと、より好都合である。
【００１２】
【発明の実施の形態】
図１は、本発明の一実施例であるダニ捕獲検知シートＡの平面図、図２は当該ダニ捕獲検知シートＡの側面図、図３は当該ダニ捕獲検知シートＡの分解平面図である。
【００１３】
ダニ捕獲検知シートＡは、シート状をした基材１上に、８つの角棒状をした角形成部材２が、各角形成部材２の端部を突き合わせるようにして、放射状に配置され、隣接する２つの角形成部材２によって、角３が形成されており、基材１上には、全部で８つの角３が形成されている。
【００１４】
角形成部材２上には、基材１全面を覆うシート状をした透明なカバー４が配置されており、基材１とカバー４の間には隙間５が形成されている。これら基材１と角形成部材２との間や、角形成部材２とカバー４との間は、粘着剤や接着剤等によって貼り合わせられている。
【００１５】
前記基材１は、紙やプラスチックシートなどから作製されており、その表面には、黒色や朱色などの着色が施されている。また、角形成部材２も、紙やプラスチックシートなどから作製され、基材１とカバー４の間の隙間５からダニが出入りしたり、隙間５を自由に往来できるように、適度な厚みを有している。ある実験によれば、ダニは０．３ｍｍ〜１．０ｍｍの隙間に最も集りやすいことが分かっており、したがって、角形成部材２の厚さは、０．３ｍｍ〜１．０ｍｍにするのが好ましい。また、角形成部材２は、粘着剤によって形成することも可能であり、粘着剤によって角形成部材２を形成すれば、ダニをより多く捕獲することができる。
【００１６】
２つの角形成部材２によって、基材１上に形成された角３の領域、つまり、２つの角形成部材２によって挟まれた領域には、ダニを捕獲させるための粘着剤層６が設けられている。この粘着剤層６には、例えば、アクリル系粘着剤やゴム系粘着剤など各種の粘着剤を使用することができるが、ダニに対する忌避性がなく、ダニの捕獲に対して影響が小さいものを用いるのが好ましく、ダニを効果的に捕獲するためには、ゴム系粘着剤を用いるのが特に望ましい。また、この粘着剤層６にダニを捕獲させるために、粘着剤層６とカバー４の間にも、適当な隙間７を確保する必要があり、この隙間７が０．３ｍｍ以下とならないように、粘着剤層６の厚さを調整するのが好ましい。さらに、基材１の着色が粘着剤層６を通して認識できるように、この粘着剤は透明なものを用いるのが好ましく、透明でない場合には、粘着剤層６に着色を施すのが望ましい。
【００１７】
また、角形成部材２の端部は、わずかに離れて突き合わされており、角形成部材２によって形成された８つの角３とつながるように、ダニ誘引物質９を配置するためのスペース８が形成されている。したがって、このスペース８にダニ誘引物質９を配置することにより、８つの角３の領域にそれぞれダニ誘引物質９を配置したのと同様の効果が得られ、それぞれの角３にダニ誘引物質９を配置する場合に比べ、ダニ誘引物質９を配置する手間を少なくできる。
【００１８】
ダニ誘引物質９としては、ダニを誘引できる物質であれば特に制限されるものではなく、食餌性誘引物質、フェロモン性誘引物質等を用いることができる。食餌性誘引物質としては、例えば、チーズや乾燥酵母、粉末飼料、イリ粉などがあり、これらの食餌性誘引物質は、誘引されたダニをその場に定着させる効果があって、特に有効である。また、この中でも、乾燥酵母の水抽出物質を用いるのが、効果的にダニを誘引することができる点でより好ましい。この場合には、水分の蒸発による誘引効果の低減を防ぐため、グリセリン等の保湿成分を混合するのが望ましい。
【００１９】
カバー４は、例えば、プラスチックシートなどの無色透明な材質のものから作製されており、カバー４を通して粘着剤層６に捕獲されたダニを直接観察できるようになっている。また、カバー４には、多数の孔１０が開口されており、ダニがこの孔１０から、基材１とカバー４との間の隙間５に入りやすくなっている。また、孔１０の位置は、粘着剤層６が形成された領域と重ならないように開口されており、室内のほこりや塵が直接粘着剤層６上に直接落下しないようになっている。
【００２０】
このダニ捕獲検知シートＡは、カバー４を上面にして畳やカーペット上などのダニが生息しやすい場所に載置される。室内に生息するダニは、ダニ誘引物質９に誘引され、カバー４の孔１０や、ダニ捕獲検知シートＡの側面から、基材１とカバー４との間の隙間５に入り込み、粘着剤層６に捕獲される。そして、捕獲されたダニは、カバー４を通して観察される。
【００２１】
特に、このダニ捕獲検知シートＡにあっては、ダニの好むような隙間５がカバー４と基材１との間に形成されているとともに、角形成部材２によって、ダニの生息に都合のよい角３が、多数、基材１上に形成され、ダニがより集りやすくなっている。したがって、わずかのダニであっても、ダニを粘着剤層６に捕獲でき、室内のダニを確実に検出することができる。
【００２２】
また、基材１の表面若しくは粘着剤層６は着色されているので、粘着剤層６に付着したダニは、白色に認識され、ダニの付着の確認が容易に行なえる。さらに、カバー４の孔１０は、粘着剤層６上にはなく、孔１０から侵入したほこり等が粘着剤層６に付着しないため、ダニのみを認識することができ、粘着剤層６に付着したほこり等をダニと見誤ることもない。
【００２３】
なお、上記実施例においては、角３を形成する角形成部材２の端部は、わずかに離して突き合わしているが、本発明にいう角３には、このように、厳密な角３を形成していない場合も含むものである。もちろん、言うまでもなく、図４に示すように、角形成部材２を互いに密着するように突き合わせて、角３を形成してもよく、形成された８つの角３のそれぞれの領域に、粘着剤層６を形成するとともに、ダニ誘引物質９を配置してもよい。また、図５に示すように、放射状になった一つの角形成部材２を用いてもよく、複数の角形成部材２を用いる場合に比べて、ダニ捕獲検知シートＡを簡易に作製することができる。
【００２４】
さらに、角形成部材２は、放射状に配置する場合だけでなく、例えば、図６に示すように、一つの角形成部材２の側面に、別の角形成部材２の端部を突き合せるように配置することもできる。
【００２５】
また、基材１の形状も特に制限がなく、矩形状に限られず、六角形状や八角形状、あるいは円形に形成してもよく、角形成部材２も、角棒状のものに限られず、板状の角形成部材２を利用して、角３を形成することもできる。例えば、図７に示すように、八角形状の基材１上に、略三角形状をした角形成部材２を４つ用いて、４つの角３を形成するようにしてもよい。
【００２６】
さらに、上記実施例ではカバー４を無色透明なものとしたが、有色透明なものはもちろんのこと、不透明なカバー４を用いてもよい。なお、不透明なカバー４を用いる場合には、カバー４の裏面に剥離処理を施し、角形成部材２上に粘着剤で剥離可能なように貼り合わせればよく、この場合には、ダニ捕獲後に、直ちにカバー４を角形成部材２から剥離させ、粘着剤層６に付着したダニを観察することができる。
【００２７】
もちろん、この他にもさまざまな実施の形態が考えられるのは言うまでもない。
【００２８】
【発明の効果】
本発明のダニ捕獲検知シートは、シート状の基材上に、角形成部材を用いて角を形成するとともに、当該角形成部材によって形成された角の領域に、ダニを捕獲する粘着剤層を形成しているので、ダニを効果的に粘着剤層に捕獲することができる。このため、少ない数のダニであっても、ダニを確実に検知することができる。
【００２９】
また、角形成部材によって形成された角の領域に、ダニを誘引するダニ誘引物質を配置しているので、より一層多くのダニを捕獲することができる。
【００３０】
このとき、基材の表面若しくは粘着剤層に着色を施しておくと、粘着剤層に捕獲されたダニが白色に観察され、ダニを肉眼で容易に検出することができる。
【００３１】
さらに、粘着剤層が形成された領域と重ならないように、カバーに多数の孔を開口しておくと、ダニが開口された孔から、基材とカバーの間に侵入しやすくなるだけでなく、孔から侵入したほこりが粘着剤層に付着しにくくなり、粘着剤層にはダニのみが捕獲され、ダニの識別が容易に行なえる。
【００３２】
このとき、カバーを無色透明にしておくと、カバーを剥がすことなく、粘着剤層に捕獲されたダニを観察することができ、より簡単にダニを検知することができる。
【図面の簡単な説明】
【図１】本発明の一実施例であるダニ捕獲検知シートの平面図である。
【図２】同上のダニ捕獲検知シートの側面図である。
【図３】同上のダニ捕獲検知シートの分解平面図である。
【図４】本発明の別な実施例であるダニ捕獲検知シートから、カバーを剥がした状態を示す平面図である。
【図５】本発明のさらに別な実施例であるダニ捕獲検知シートから、カバーを剥がした状態を示す平面図である。
【図６】本発明のさらに別な実施例であるダニ捕獲検知シートから、カバーを剥がした状態を示す平面図である。
【図７】本発明のさらに別な実施例であるダニ捕獲検知シートから、カバーを剥がした状態を示す平面図である。
【符号の説明】
１  シート状の基材
２  角形成部材
３  角形成部材により形成された角
４  カバー
５  カバーと基材の間の隙間
６  粘着剤層
９  ダニ誘引物質
【図１】
0003604517.tif 000002
【図２】
0003604517.tif 000003
【図３】
0003604517.tif 000004
【図４】
0003604517.tif 000005
【図５】
0003604517.tif 000006
【図６】
0003604517.tif 000007
【図７】
0003604517.tif 000008